(57)【要約】【課題】ユーザに特別な操作を要求することなく、携帯端末の情報処理端末への置き忘れを防止し、簡単かつ安全に利用する。【解決手段】情報処理端末２０との間で通信を行うように構成されている携帯端末１０は、情報処理端末２０との間で第１の通信を確立した後に、第１の通信を介して通信設定情報を取得するように構成されている第１の通信部１１と、第１の通信の切断を検知するように構成されている切断検知部１３と、切断検知部１３によって第１の通信の切断が検知された場合に、取得された通信設定情報に基づいて、情報処理端末１０との間で第２の通信を確立するように構成されている第２の通信部１４とを具備する。【選択図】  図１
2008301110.tif 000002
【特許請求の範囲】
【請求項１】
情報処理端末との間で通信を行うように構成されている携帯端末であって、
前記情報処理端末との間で第１の通信を確立した後に、該第１の通信を介して通信設定情報を取得するように構成されている第１の通信部と、
前記第１の通信の切断を検知するように構成されている切断検知部と、
前記切断検知部によって前記第１の通信の切断が検知された場合に、取得された前記通信設定情報に基づいて、前記情報処理端末との間で第２の通信を確立するように構成されている第２の通信部とを具備することを特徴とする携帯端末。
【請求項２】
前記第２の通信が確立された後、所定処理を行うように構成されている所定処理部を具備することを特徴とする請求項１に記載の携帯端末。
【請求項３】
前記所定処理部は、前記第２の通信が確立されてから所定期間が経過するまでの間、前記所定処理を行うように構成されていることを特徴とする請求項２に記載の携帯端末。
【請求項４】
前記切断検知部によって前記第１の通信の切断が検知された場合に、前記情報処理端末以外の第３のデバイスとの接続を検知するように構成されている接続検知部を具備し、
前記第２の通信部は、前記接続検知部によって前記第３のデバイスとの接続が検知された場合に、取得された前記通信設定情報に基づいて、前記情報処理端末との間で第２の通信を確立するように構成されていることを特徴とする請求項１乃至３のいずれか一項に記載の携帯端末。
【請求項５】
前記第２の通信部は、取得された前記通信設定情報に基づいて、前記第２の通信が確立できるか否かについて試験を行うように構成されており、
前記第１の通信部は、前記試験に失敗した場合に、再度、前記第１の通信を確立するように構成されていることを特徴とする請求項１乃至４のいずれか一項に記載の携帯端末。
【請求項６】
前記第１の通信部は、秘密情報が正しく入力された場合に、第１の通信設定情報を取得し、該秘密情報が正しく入力されなかった場合に、第２の通信設定情報を取得するように構成されており、
前記第２の通信部は、確立された前記第２の通信が切断された後、前記第２の通信設定情報が取得されている場合で、かつ、前記情報処理端末との距離が所定閾値未満となった場合には、前記切断検知部によって前記第１の通信の切断が検知されない場合であっても、該第１の通信設定情報に基づいて、前記情報処理端末との間で前記第２の通信を確立するように構成されている請求項１に記載の携帯端末。
【請求項７】
前記第１の通信部によって暗号化された前記通信設定情報が取得された場合に、所定ネットワーク上の所定サーバに対して該通信設定情報を転送し、該所定サーバから復号された該通信設定情報を取得するように構成されているネットワークインターフェイスを具備することを特徴とする請求項１に記載の携帯端末。
【請求項８】
携帯端末との間で通信を行うように構成されている情報処理端末であって、
前記携帯端末との間で第１の通信を確立した後に、該第１の通信を介して通信設定情報を取得するように構成されている第１の通信部と、
前記第１の通信の切断を検知するように構成されている切断検知部と、
前記切断検知部によって前記第１の通信の切断が検知された場合に、取得された前記通信設定情報に基づいて、前記携帯端末との間で第２の通信を確立するように構成されている第２の通信部とを具備することを特徴とする情報処理端末。
【請求項９】
前記第２の通信が確立された後、所定処理を行うように構成されている所定処理部を具備することを特徴とする請求項８に記載の情報処理端末。
【請求項１０】
前記所定処理部は、前記第２の通信が確立されてから所定期間が経過するまでの間、前記所定処理を行うように構成されていることを特徴とする請求項９に記載の情報処理端末。
【請求項１１】
前記第１の通信部によって暗号化された前記通信設定情報が取得された場合に、所定ネットワーク上の所定サーバに対して該通信設定情報を転送し、該所定サーバから復号された該通信設定情報を取得するように構成されているネットワークインターフェイスを具備することを特徴とする請求項９に記載の情報処理端末。
【請求項１２】
携帯端末と情報処理端末との間で通信を行う通信方法であって、
前記携帯端末と前記情報処理端末との間で第１の通信を確立した後に、該第１の通信を介して該情報処理端末と該携帯端末との間で通信設定情報を送受信する工程Ａと、
前記第１の通信の切断を検知する工程Ｂと、
前記第１の通信の切断が検知された場合に、前記通信設定情報に基づいて、前記携帯端末と前記情報処理端末との間で第２の通信を確立する工程Ｃとを有することを特徴とする通信方法。
【請求項１３】
前記工程Ａにおいて、前記携帯端末は、前記第１の通信を介して前記情報処理端末の証明書を取得した場合に、所定ネットワーク上の所定サーバに対して該情報処理端末の証明書を転送し、前記所定サーバによって該情報処理端末の証明書が正しいことが検証された場合に、該第１の通信を介して該情報処理端末に対して前記通信設定情報を送信することを特徴とする請求項１２に記載の通信方法。
【請求項１４】
前記工程Ａにおいて、前記情報処理端末は、前記第１の通信を介して前記携帯端末の証明書を取得した場合に、所定ネットワーク上の所定サーバに対して該携帯端末の証明書を転送し、前記所定サーバによって該携帯端末の証明書が正しいことが検証された場合に、該第１の通信を介して該携帯端末に対して前記通信設定情報を送信することを特徴とする請求項１２に記載の通信方法。
【発明の詳細な説明】
【技術分野】
【０００１】
本発明は、携帯端末と情報処理端末との間で通信を行う通信方法、携帯端末及び情報処理端末に関する。
【背景技術】
【０００２】
近年、近距離間の無線通信手段として、無線ＬＡＮやＢｌｕｅｔｏｏｔｈ（登録商標）等の通信手段が提案され、様々な対応機器が開発され販売されている。
【０００３】
しかし、これらの近距離間の無線通信手段では、無線通信を行うため、通信対象機器を特定することが困難であることや、無線通信を行うためのパラメータ設定が煩雑であるという問題点が指摘されている。
【０００４】
かかる問題点を解決するために、ループアンテナによる電力伝送及びデータ送受信（第１の通信）を用いて、通信対象機器の特定や無線通信に用いられる通信設定情報の送受信を行い、その後、無線通信（第２の通信）を確立する手法が提案されている（例えば、特許文献１参照）。
【０００５】
また、赤外線通信（第１の通信）により、通信対象機器の特定や無線通信に用いられる通信設定情報の送受信を行い、その後、無線通信（第２の通信）を確立する手法が提案されている（例えば、特許文献２参照）。
【特許文献１】特許第３６７１８８０号「通信システムおよび方法、情報処理装置および方法、通信端末および方法、拡張装置、並びにプログラム」
【特許文献２】特許第３５５８１２５号「無線通信接続先特定方法」
【発明の開示】
【発明が解決しようとする課題】
【０００６】
しかしながら、上述のような処理により、携帯端末と情報処理端末との間の無線通信（第２の通信）を確立した場合、当該無線通信（第２の通信）の完了後に、ユーザが、当該携帯端末を当該情報処理端末の近傍に置き忘れてしまうことが多いという問題点があった。
【０００７】
例えば、有線接続や非接触ＩＣにより携帯端末を情報処理端末に接続して第１の通信を確立し、当該第１の通信を介して第２の通信（無線通信）用の通信設定情報を送受信し、第２の通信（無線通信）を確立した後も、当該携帯端末を情報処理端末に接続したままにしておくため、第２の通信を介したサービス終了時に、ユーザが、当該携帯端末を当該情報処理端末に置き忘れたまま立ち去ってしまうことは容易に起こり得る。
【０００８】
また、ユーザが、携帯端末を情報処理端末に置き忘れたまま、当該情報処理端末を離れた後も、第１の通信及び第２の通信が継続した場合、別のユーザが、当該情報処理端末や当該携帯端末を操作することにより、各種情報の漏洩や不正使用が発生し、正規ユーザに重大な被害を与えかねない。
【０００９】
そこで、本発明は、上述の課題に鑑みてなされたものであり、ユーザに特別な操作を要求することなく、携帯端末の情報処理端末への置き忘れを防止し、簡単かつ安全に利用することができる通信方法、携帯端末及び情報処理端末を提供することを目的とする。
【課題を解決するための手段】
【００１０】
本発明の第１の特徴は、情報処理端末との間で通信を行うように構成されている携帯端末であって、前記情報処理端末との間で第１の通信を確立した後に、該第１の通信を介して通信設定情報を取得するように構成されている第１の通信部と、前記第１の通信の切断を検知するように構成されている切断検知部と、前記切断検知部によって前記第１の通信の切断が検知された場合に、取得された前記通信設定情報に基づいて、前記情報処理端末との間で第２の通信を確立するように構成されている第２の通信部とを具備することを要旨とする。
【００１１】
かかる発明によれば、携帯端末が、有線接続や非接触ＩＣ等を用いた近接通信である第１の通信によって情報処理端末から通信設定情報を取得し、当該第１の通信の切断が検知された後、無線通信である第２の通信を開始するように構成されているため、第２の通信を開始する前に、当該携帯端末を当該情報処理端末から離すことができるため、第２の通信を介したサービス終了時に、当該携帯端末を当該情報処理端末に置き忘れたままにするという事態を回避することができる。
【００１２】
本発明の第１の特徴において、前記第２の通信が確立された後、所定処理を行うように構成されている所定処理部を具備してもよい。
【００１３】
本発明の第１の特徴において、前記所定処理部は、前記第２の通信が確立されてから所定期間が経過するまでの間、前記所定処理を行うように構成されていてもよい。
【００１４】
本発明の第１の特徴において、前記切断検知部によって前記第１の通信の切断が検知された場合に、前記情報処理端末以外の第３のデバイスとの接続を検知するように構成されている接続検知部を具備し、前記第２の通信部は、前記接続検知部によって前記第３のデバイスとの接続が検知された場合に、取得された前記通信設定情報に基づいて、前記情報処理端末との間で第２の通信を確立するように構成されていてもよい。
【００１５】
本発明の第１の特徴において、前記第２の通信部は、取得された前記通信設定情報に基づいて、前記第２の通信が確立できるか否かについて試験を行うように構成されており、前記第１の通信部は、前記試験に失敗した場合に、再度、前記第１の通信を確立するように構成されていてもよい。
【００１６】
本発明の第１の特徴において、前記第１の通信部は、秘密情報が正しく入力された場合に、第１の通信設定情報を取得し、該秘密情報が正しく入力されなかった場合に、第２の通信設定情報を取得するように構成されており、前記第２の通信部は、確立された前記第２の通信が切断された後、前記第２の通信設定情報が取得されている場合で、かつ、前記情報処理端末との距離が所定閾値未満となった場合には、前記切断検知部によって前記第１の通信の切断が検知されない場合であっても、該第１の通信設定情報に基づいて、前記情報処理端末との間で前記第２の通信を確立するように構成されていてもよい。
【００１７】
本発明の第１の特徴において、前記第１の通信部によって暗号化された前記通信設定情報が取得された場合に、所定ネットワーク上の所定サーバに対して該通信設定情報を転送し、該所定サーバから復号された該通信設定情報を取得するように構成されているネットワークインターフェイスを具備してもよい。
【００１８】
本発明の第２の特徴は、携帯端末との間で通信を行うように構成されている情報処理端末であって、前記携帯端末との間で第１の通信を確立した後に、該第１の通信を介して通信設定情報を取得するように構成されている第１の通信部と、前記第１の通信の切断を検知するように構成されている切断検知部と、前記切断検知部によって前記第１の通信の切断が検知された場合に、取得された前記通信設定情報に基づいて、前記携帯端末との間で第２の通信を確立するように構成されている第２の通信部とを具備することを要旨とする。
【００１９】
かかる発明によれば、情報処理端末が、有線接続や非接触ＩＣ等を用いた近接通信である第１の通信によって携帯端末から通信設定情報を取得し、当該第１の通信の切断が検知された後、無線通信である第２の通信を開始するように構成されているため、第２の通信を開始する前に、当該携帯端末を当該情報処理端末から離すことができるため、第２の通信を介したサービス終了時に、当該携帯端末を当該情報処理端末に置き忘れたままにするという事態を回避することができる。
【００２０】
本発明の第２の特徴において、前記第２の通信が確立された後、所定処理を行うように構成されている所定処理部を具備してもよい。
【００２１】
本発明の第２の特徴において、前記所定処理部は、前記第２の通信が確立されてから所定期間が経過するまでの間、前記所定処理を行うように構成されていてもよい。
【００２２】
本発明の第２の特徴において、前記第１の通信部によって暗号化された前記通信設定情報が取得された場合に、所定ネットワーク上の所定サーバに対して該通信設定情報を転送し、該所定サーバから復号された該通信設定情報を取得するように構成されているネットワークインターフェイスを具備してもよい。
【００２３】
本発明の第３の特徴は、携帯端末と情報処理端末との間で通信を行う通信方法であって、前記携帯端末と前記情報処理端末との間で第１の通信を確立した後に、該第１の通信を介して該情報処理端末と該携帯端末との間で通信設定情報を送受信する工程Ａと、前記第１の通信の切断を検知する工程Ｂと、前記第１の通信の切断が検知された場合に、前記通信設定情報に基づいて、前記携帯端末と前記情報処理端末との間で第２の通信を確立する工程Ｃとを有することを要旨とする。
【００２４】
本発明の第３の特徴において、前記工程Ａにおいて、前記携帯端末は、前記第１の通信を介して前記情報処理端末の証明書を取得した場合に、所定ネットワーク上の所定サーバに対して該情報処理端末の証明書を転送し、前記所定サーバによって該情報処理端末の証明書が正しいことが検証された場合に、該第１の通信を介して該情報処理端末に対して前記通信設定情報を送信してもよい。
【００２５】
本発明の第３の特徴において、前記工程Ａにおいて、前記情報処理端末は、前記第１の通信を介して前記携帯端末の証明書を取得した場合に、所定ネットワーク上の所定サーバに対して該携帯端末の証明書を転送し、前記所定サーバによって該携帯端末の証明書が正しいことが検証された場合に、該第１の通信を介して該携帯端末に対して前記通信設定情報を送信してもよい。
【発明の効果】
【００２６】
以上説明したように、本発明によれば、ユーザに特別な操作を要求することなく、携帯端末の情報処理端末への置き忘れを防止し、簡単かつ安全に利用することができる通信方法、携帯端末及び情報処理端末を提供することができる。
【発明を実施するための最良の形態】
【００２７】
（本発明の第１の実施形態に係る通信システムの構成）
図１及び図２を参照して、本発明の第１の実施形態に係る通信システムの構成について説明する。
【００２８】
図１に示すように、本発明の第１の実施形態に係る通信システムは、携帯端末１０と、情報処理端末２０とを備える。
【００２９】
携帯端末１０は、情報処理端末２０との間で通信を行うように構成されている。例えば、携帯端末１０は、小型のユーザ認証用端末であり、簡単なＣＰＵや、メモリや、第１の通信用のＵＳＢコネクタや、第２の通信用のＢｌｕｅｔｏｏｔｈ（登録商標）ネットワークインターフェイスを備え、簡単なアプリケーションを実行することができるが、ディスプレイやボタン等の操作インタフェースを持たない端末である。
【００３０】
また、携帯端末１０は、ディスプレイやボタン等の操作インタフェースを具備する携帯電話や可搬型の携帯端末等であってもよい。
【００３１】
図１に示すように、携帯端末１０は、近接通信部１１と、通信設定情報管理部１２と、切断検知部１３と、無線通信部１４とを具備している。
【００３２】
近接通信部１１は、情報処理端末２０との間で第１の通信を確立した後に、当該第１の通信を介して通信設定情報を取得するように構成されている。
【００３３】
ここで、第１の通信とは、ＵＳＢコネクタを用いた有線接続や指向性のある赤外線通信や非接触ＩＣ等によって確立される近接通信（近距離通信）を示す。
【００３４】
例えば、近接通信部１１は、ＵＳＢコネクタを用いた有線接続により、情報処理端末２０の近接通信部２１との間で第１の通信を開始して通信設定情報を受信するように構成されている。
【００３５】
また、近接通信部１１は、近接通信部２１から受信した通信設定情報を、通信設定管理部１２に送信し、通信設定管理部１２から通信設定情報保存完了通知を受信した後に、近接通信部２１に当該通信設定情報保存完了通知を送信するように構成されている。
【００３６】
通信設定情報管理部１２は、近接通信部１１から受信した通信設定情報を保存して管理するように構成されている。
【００３７】
ここで、通信設定情報とは、図２に示すように、第２の通信を行うために必要な設定情報を示す。なお、通信設定情報は、第２の通信用の通信ベアラによって異なる。
【００３８】
図２（ａ）に示すように、第２の通信が、Ｂｌｕｅｔｏｏｔｈ（登録商標）によって行われる場合、通信設定情報は、使用プロファイルと、Ｂｌｕｅｔｏｏｔｈ（登録商標）デバイス名と、ＰＩＮコードとを含む。
【００３９】
また、図２（ｂ）に示すように、第２の通信が、無線ＬＡＮ（ＩＥＥＥ８０２.１１ｂ）によって行われる場合、通信設定情報は、ＳＳＩＤと、ＷＥＰキーとを含む。
【００４０】
また、通信設定情報には、携帯端末１０や情報処理装置２０の証明書や署名等、両者を認証するために必要な情報を含んでいてもよい。
【００４１】
なお、本実施形態では、第１の通信を確立する毎に、異なる通信設定情報を生成するように構成されていてもよい。
【００４２】
また、通信設定情報管理部１２は、無線通信部１４からの要求に応じて、当該通信設定情報を返信するように構成されている。
【００４３】
切断検知部１３は、上述の第１の通信の切断を検知して、無線通信確立要求（第２の通信確立要求）を無線通信部１４に送信するように構成されている。
【００４４】
無線通信部１４は、切断検知部１３によって第１の通信の切断が検知された場合に、取得された通信設定情報に基づいて、情報処理端末２０との間で第２の通信を確立するように構成されている。
【００４５】
ここで、第２の通信とは、無線ＬＡＮやＢｌｕｅｔｏｏｔｈ（登録商標）や赤外線通信やセルラー通信等によって確立される無線通信を示す。
【００４６】
具体的には、無線通信部１４は、切断検知部１３から送信された無線通信確立要求（第２の通信確立要求）に応じて、通信設定管理部１２に通信設定情報要求を送信することによって、通信設定情報を取得するように構成されている。
【００４７】
次に、無線通信部１４は、取得した通信設定情報に基づいて、情報処理端末２０の無線通信部２３に対して、Ｂｌｕｅｔｏｏｔｈ（登録商標）による第２の通信を確立することを要求する無線通信確立要求（第２の通信確立要求）を送信するように構成されている。
【００４８】
その後、無線通信部１４は、無線通信部２３との間で、Ｂｌｕｅｔｏｏｔｈ（登録商標）による第２の通信を確立して第２の通信を行うように構成されている。
【００４９】
一方、情報処理端末２０は、携帯端末１０との間で通信を行うように構成されている。例えば、情報処理端末２０は、ノートパソコンのような通信端末であり、ＣＰＵや、メモリや、ディスプレイや、操作インタフェースを備え、更に、第１の通信用のＵＳＢポートや、第２の通信用のＢｌｕｅｔｏｏｔｈ（登録商標）ネットワークインターフェイスを備える。
【００５０】
図１に示すように、情報処理端末２０は、近接通信部２１と、通信設定情報管理部２２と、無線通信部２３と、表示部２４とを具備する。
【００５１】
近接通信部２１は、ＵＢＳポートを用いた有線接続により、近接通信部１１との間で第１の通信を開始するように構成されている。
【００５２】
次に、近接通信部２１は、通信設定管理部２２から通信設定情報を読み出し、かかる通信設定情報を近接通信部１１に送信するように構成されている。
【００５３】
通信設定管理部２２は、近接通信部２１からの通信設定情報要求に応じて、無線通信部２３から通信設定情報を読み出し、近接通信部２１に返信するように構成されている。
【００５４】
また、通信設定管理部２２は、第２の通信の確立時には、無線通信部２３からの通信設定情報確認要求に応じて、自身が過去に送信した通信設定情報と同じか否かについて確認し、かかる確認結果を無線通信部２３に返信するように構成されている。
【００５５】
無線通信部２３は、通信設定管理部２２からの通信設定情報要求に応じて、自身の通信設定情報を返信するように構成されている。
【００５６】
また、無線通信部２３は、第２の通信の確立時には、無線通信部１４から受信したＢｌｕｅｔｏｏｔｈ（登録商標）による無線通信確立要求（第２の通信確立要求）に応じて、かかる無線通信確立要求（第２の通信確立要求）に含まれる通信設定情報が正しいか否かについて確認するため、通信設定情報確認要求を通信設定管理部２２に送信するように構成されている。
【００５７】
かかる通信設定情報が正しいことが確認されて、通信設定管理部２２から確認ＯＫのメッセージを受信すると、無線通信部２３は、無線通信部１４との間で、Ｂｌｕｅｔｏｏｔｈ（登録商標）による第２の通信を確立して第２の通信を行うように構成されている。
【００５８】
（本発明の第１の実施形態に係る通信システムの動作）
図３及び図４を参照して、本発明の第１の実施形態に係る通信システムの動作について説明する。
【００５９】
図３に示すように、ステップＳ１００１において、ユーザが、携帯端末１０のＵＳＢコネクタを情報処理端末２０のＵＳＢポートに接続することによって、近接通信部１１と近接通信部２１との間の第１の通信を開始する。
【００６０】
ここで、ユーザは、携帯端末１０の「Ｆｅｌｉｃａ（登録商標）タグ」を情報処理端末２０の「Ｆｅｌｉｃａ（登録商標）ポート」に置くことによって、近接通信部１１と近接通信部２１との間の第１の通信を開始してもよい。
【００６１】
ステップＳ１００２において、近接通信部２１は、通信設定管理部２２に対して、通信設定情報の読み出しを要求するための通信設定情報読出要求を送信する。
【００６２】
通信設定管理部２２は、ステップＳ１００３において、当該通信設定情報読出要求を無線通信部２３に送信し、ステップＳ１００４において、無線通信部２３の通信設定情報を取得し、ステップＳ１００５において、取得した通信設定情報を近接通信部２１に返信する。
【００６３】
ステップＳ１００６において、近接通信部２１は、第１の通信を通じて、当該通信設定情報を近接通信部１１に送信する。
【００６４】
ステップＳ１００７において、近接通信部１１は、受信した通信設定情報を通信設定管理部１２に転送する。
【００６５】
通信設定管理部１２は、ステップＳ１００８において、当該通信設定情報を保存し、ステップＳ１００９において、かかる保存が完了した旨を通知するための通信設定情報保存完了通知を近接通信部１１に送信する。
【００６６】
ステップＳ１０１０において、近接通信部１１は、第１の通信を通じて、当該通信設定情報保存完了通知を近接通信部21に送信すると、ステップＳ１０１１において、近接通信部２１は、上述の通信設定情報の携帯端末１０における保存が完了したことを確認し、表示部２４に対して、第１の通信の切断をユーザに促すメッセージを表示するように要求する表示要求を送信する。
【００６７】
ステップＳ１０１２において、表示部２４は、ユーザに対して、ＵＳＢポートから携帯端末１０のＵＳＢコネクタを抜くように指示するメッセージ（近接通信切断要求メッセージ）を表示する。
【００６８】
続いて、図４に示すように、ステップＳ２００１において、ユーザは、情報処理端末２０の表示部２４に表示された近接通信切断要求メッセージを見て、ＵＳＢコネクタを介して接続されている携帯端末１０を、手動で情報処理端末２０のＵＳＢポートから引き抜く。
【００６９】
或いは、ユーザは、情報処理端末２０の「Ｆｅｌｉｃａ（登録商標）ポート」に置かれている携帯端末１０を手元に戻す。
【００７０】
切断検知部１３は、ステップＳ２００２において、近接通信（第１の通信）の切断を検知し、ステップＳ２００３において、無線通信部１４に対して、無線通信（第２の通信）の確立を要求するための無線通信確立要求（第２の通信確立要求）を送信する。
【００７１】
無線通信部１４は、ステップＳ２００４において、通信設定管理部１２に対して、通信設定情報を送信するように要求するための通信設定情報要求を送信し、ステップＳ２００５において、当該通信設定情報を取得する。
【００７２】
ステップＳ２００６において、無線通信部１４は、取得した通信設定情報に基づいて、無線通信確立要求（第２の通信確立要求）を、無線通信部２３に送信する。
【００７３】
ステップＳ２００７において、無線通信部２３は、受信した無線通信確立要求（第２の通信確立要求）に含まれる通信設定情報が正しいか否かについて確認するための通信設定情報確認要求を、通信設定管理部２２に送信する。
【００７４】
通信設定管理部２２は、ステップＳ２００８において、受信した通信設定情報確認要求に応じて、当該通信設定情報が正しいか否かについて確認し、ステップＳ２００９において、かかる確認結果について無線通信部２３に返送する。
【００７５】
ステップＳ２０１０において、無線通信部２３は、上述の通信設定情報が正しいが正しいことを確認すると、当該通信設定情報に基づいて、無線通信部１４との間で第２の通信を確立する。
【００７６】
（本発明の第１の実施形態に係る通信システムの作用・効果）
本発明の第１の実施形態に係る通信システムによれば、携帯端末１０が、有線接続や非接触ＩＣ等を用いた近接通信である第１の通信によって情報処理端末２０から通信設定情報を取得し、当該第１の通信の切断が検知された後、無線通信である第２の通信を開始するように構成されているため、第２の通信を開始する前に、携帯端末１０を情報処理端末２０から離すことができるため、第２の通信を介したサービス終了時に、当該携帯端末１０を当該情報処理端末２０に置き忘れたままにするという事態を回避することができる。
【００７７】
すなわち、本発明の第１の実施形態に係る通信システムによれば、ユーザが、第１の通信を明示的に切断しなければ、第２の通信が開始されないため、携帯端末１０の置き忘れを防止し、より安全性を高めることが可能となる。
【００７８】
（本発明の第２の実施形態に係る通信システム）
次に、本発明の第２の実施形態に係る通信システムについて、上述の第１の実施形態に係る通信システムとの相違点を主として説明する。
【００７９】
図５に示すように、第２の実施形態に係る通信システムと第１の実施形態に係る通信システムとの間で異なる点は、「携帯端末１０が、切断検知部１３を持たない点」と、「情報処理端末２０が、切断検知部２５を新たに備える点」にある。
【００８０】
本実施形態では、近接通信部２１は、携帯端末１０との間で第１の通信を確立した後に、当該第１の通信を介して通信設定情報を取得するように構成されている。
【００８１】
また、切断検知部２５は、第１の通信の切断を検知し、無線通信確立要求（第２の通信確立要求）を無線通信部２３に送信するように構成されている。
【００８２】
また、無線通信部２３は、切断検知部２５によって第１の通信の切断が検知された場合に、取得された通信設定情報に基づいて、携帯端末１０との間で第２の通信を確立するように構成されている。
【００８３】
次に、図６及び図７を参照して、本実施形態に係る通信システムの動作について説明する。
【００８４】
図６に示すように、ステップＳ３００１において、ユーザが、携帯端末１０のＵＳＢコネクタを情報処理端末２０のＵＳＢポートに接続することによって、近接通信部１１と近接通信部２１との間の第１の通信を開始する。
【００８５】
ステップＳ３００２において、近接通信部１１は、通信設定管理部１２に対して、通信設定情報の読み出しを要求するための通信設定情報読出要求を送信すると、通信設定管理部１２は、ステップＳ３００３において、無線通信部１４に対して当該通信設定情報読出要求を送信し、ステップＳ３００４において、無線通信部１４の通信設定情報を取得し、ステップＳ３００５において、当該通信設定情報を近接通信部１１に返信する。
【００８６】
ステップＳ３００６において、近接通信部１１は、第１の通信を通じて、当該通信設定情報を近接通信部２１に送信する。
【００８７】
ステップＳ３００７において、近接通信部２１は、受信した通信設定情報を通信設定管理部２２に送信し、通信設定管理部２２は、ステップＳ３００８において、受信した通信設定情報を保存し、ステップＳ３００９において、当該通信設定情報の保存が完了したことを通知するための通信設定情報保存完了通知を、近接通信部１１に送信する。
【００８８】
ステップＳ３０１０において、通信設定管理部２２は、表示部２４に対して、第１の通信の切断をユーザに促すメッセージを表示するように要求するための表示要求を送信し、ステップＳ３０１１において、表示部２４は、ユーザに対して、ＵＳＢポートから携帯端末１０のＵＳＢコネクタを抜くように指示するメッセージ（近接通信切断要求メッセージ）を表示する。
【００８９】
次に、図７に示すように、ステップＳ４００１において、ユーザは、情報処理端末２０の表示部２４に表示された近接通信切断要求メッセージを見て、ＵＳＢコネクタを介して接続されている携帯端末１０を、手動で情報処理端末２０のＵＳＢポートから引き抜く。
【００９０】
切断検知部２５は、ステップＳ４００２において、近接通信（第１の通信）の切断を検知し、ステップＳ４００３において、無線通信部２３に対して、無線通信（第２の通信）の確立を要求するための無線通信確立要求（第２の通信確立要求）を送信する。
【００９１】
無線通信部２３は、ステップＳ４００４において、通信設定管理部２２に対して、通信設定情報を送信するように要求するための通信設定情報要求を送信し、ステップＳ４００５において、当該通信設定情報を取得する。
【００９２】
ステップＳ４００６において、無線通信部２３は、取得した通信設定情報に基づいて、無線通信確立要求（第２の通信確立要求）を、無線通信部１４に送信する。
【００９３】
ステップＳ４００７において、無線通信部１４は、受信した無線通信確立要求（第２の通信確立要求）に含まれる通信設定情報が正しいか否かについて確認するための通信設定情報確認要求を、通信設定管理部１２に送信する。
【００９４】
通信設定管理部１２は、ステップＳ４００８において、受信した通信設定情報確認要求に応じて、当該通信設定情報が正しいか否かについて確認し、ステップＳ４００９において、かかる確認結果について無線通信部２３に返送する。
【００９５】
ステップＳ４０１０において、無線通信部１４は、上述の通信設定情報が正しいが正しいことを確認すると、当該通信設定情報に基づいて、無線通信部２３との間で第２の通信を確立する。
【００９６】
（本発明の第３の実施形態に係る通信システム）
次に、本発明の第３の実施形態に係る通信システムについて、上述の第１の実施形態に係る通信システムとの相違点を主として説明する。
【００９７】
図８に示すように、第３の実施形態に係る通信システムと第１の実施形態に係る通信システムとの間で異なる点は、「携帯端末１０が、アプリケーション処理部１５を新たに備える点」と、「情報処理端末２０が、アプリケーション処理部２８を新たに備える点」にある。
【００９８】
本実施形態では、アプリケーション処理部１５、２６は、第２の通信が確立された後、所定処理（所定のアプリケーション処理）を行うように構成されている。
【００９９】
また、アプリケーション処理部１５、２６は、第２の通信が確立されてから所定期間（有効期間）が経過するまでの間、かかる所定処理を行うように構成されている。
【０１００】
ここで、所定のアプリケーション処理としては、情報処理端末２０がプリンタである場合の印刷処理や、情報処理端末２０がパーソナルコンピュータである場合のログイン処理等が想定される。
【０１０１】
次に、図９を参照して、本実施形態に係る通信システムの動作について説明する。
【０１０２】
図９に示すように、ステップＳ５００１において、無線通信部１４と無線通信部２３との間で第２の通信を確立する（例えば、図４のステップＳ２０１０や、図７のステップＳ４０１０参照）。
【０１０３】
ステップＳ５００２Ａにおいて、無線通信部１４は、第２の通信が確立されたことを通知するための無線通信確立通知（第２の通信確立通知）をアプリケーション処理部１５に送信し、ステップＳ５００２Ｂにおいて、無線通信部２３は、第２の通信が確立されたことを通知するための無線通信確立通知（第２の通信確立通知）をアプリケーション処理部２６に送信する。
【０１０４】
ステップＳ５００３Ｂにおいて、アプリケーション処理部２６は、Ｗｅｂショッピング用アプリケーションを起動し、インターネットに接続してサービスを開始すると同時に、サービス提供期間（有効期間）を管理するタイマーを作動させる。
【０１０５】
一方、ステップＳ５００３Ａにおいて、アプリケーション処理部１５は、アプリケーション処理部２６と連携してユーザ認証処理や課金処理やユーザ購入履歴管理処理等を行うアプリケーションを起動する。
【０１０６】
ステップＳ５００４において、上述のアプリケーション間通信が行われる
その後、ステップＳ５００５において、アプリケーション処理部２６によって作動されているタイマーが終了すると、アプリケーション処理部２６は、上述のアプリケーションを終了する。
【０１０７】
そして、ステップＳ５００６において、アプリケーション処理部２６は、無線通信部２３に対して、無線通信（第２の通信）を切断するように要求する無線通信切断要求（第２の通信切断要求）を送信し、ステップＳ５００７において、無線通信部２３は、無線通信部１４との間の無線通信を切断する。
【０１０８】
本実施形態に係る通信システムによれば、第２の通信が確立された後に、各種アプリケーション処理を行うことが可能であり、より利便性の高いサービスを提供可能となる。
【０１０９】
（本発明の第４の実施形態に係る通信システム）
次に、本発明の第４の実施形態に係る通信システムについて、上述の第１の実施形態に係る通信システムとの相違点を主として説明する。
【０１１０】
図８に示すように、第３の実施形態に係る通信システムと第１の実施形態に係る通信システムとの間で異なる点は、「携帯端末１０が、接続検知部１６を新たに備える点」にある。
【０１１１】
本実施形態では、接続検知部１６は、切断検知部１３によって第１の通信の切断が検知された場合に、情報処理端末２０以外の第３のデバイス（ＵＳＢコネクタのキャップやキーホルダー）との接続を検知するように構成されている。
【０１１２】
また、無線通信部１４は、接続検知部１６によって第３のデバイスとの接続が検知された場合に、取得された通信設定情報に基づいて、情報処理端末２０との間で第２の通信を確立するように構成されている。
【０１１３】
また、無線通信部１４は、取得された通信設定情報に基づいて、第２の通信が確立できるか否かについて試験を行うように構成されており、近接通信部１１は、かかる試験に失敗した場合に、再度、第１の通信を確立するように構成されている。
【０１１４】
次に、図１１及び図１２を参照して、本実施形態に係る通信システムの動作について説明する。
【０１１５】
図１１に示すステップＳ６００１乃至Ｓ６００９の動作は、図３に示すステップＳ１００１乃至Ｓ１００９の動作と同一である。
【０１１６】
ステップＳ６０１０において、近接通信部１１は、無線通信部１４に対して、通信設定情報管理部１２に保存された通信設定情報を用いて第２の通信を行うように要求するための無線通信要求を送信する。
【０１１７】
ステップＳ６０１１において、無線通信部１４は、当該無線通信要求を無線通信部２３に送信することによって、無線通信部２３との間で第２の無線通信の確立を試みる。
【０１１８】
ここで、第２の通信が、パラメータの不一致等により失敗に終わった場合は、無線通信部１４は、近接通信部１１に対して、その旨を伝え、ステップＳ６００１の手順からもう一度実行する。
【０１１９】
一方、第２の通信が問題なく確立されることが確認できた場合は、ステップＳ６０１２において、無線通信部２３は、表示部２４に対して、その旨を通知すると共に、第１の通信の切断をユーザに促すメッセージを表示するように要求する表示要求を送信する。
【０１２０】
ステップＳ６０１３において、表示部２４は、ユーザに対して、ＵＳＢポートから携帯端末１０のＵＳＢコネクタを抜くように指示するメッセージ（近接通信切断要求メッセージ）、及び、ＵＳＢキャップやキーホルダーに携帯端末１０を接続するように指示するメッセージ（接続要求メッセージ）を表示する。
【０１２１】
次に、図１２に示すように、ステップＳ７００１において、ユーザは、情報処理端末２０の表示部２４に表示された近接通信切断要求メッセージを見て、ＵＳＢコネクタを介して接続されている携帯端末１０を、手動で情報処理端末２０のＵＳＢポートから引き抜く。
【０１２２】
切断検知部１３は、ステップＳ７００２において、第１の通信の切断を検知し、ステップＳ７００３において、その旨を通知するための切断検知通知を接続検知部１６に送信する。
【０１２３】
次に、ユーザが、表示部２４の接続要求メッセージを見て、携帯端末１０のＵＳＢコネクタにＵＳＢキャップを接続するか、或いは、キーホルダーに携帯端末１０を接続すると、接続検知部１６は、ステップＳ７００４において、かかる接続を検知し、ステップＳ７００５において、ステップＳ６０１１において確立された無線通信（第２の通信）を継続することを要求するための無線通信（第２の通信）継続要求を、無線通信部１４に送信する。
【０１２４】
ステップＳ７００６において、無線通信部１４は、かかる無線通信（第２の通信）継続要求に応じて、ステップＳ６０１１において確立された無線通信部２３との間の第２の通信を継続する。
【０１２５】
一方、一定時間経過後も、携帯端末１０のＵＳＢコネクタにＵＳＢキャップが接続されず、また、携帯端末１０がキーホルダーにも接続されない場合、接続検知部１６は、ステップＳ７００７において、正常ではないと判断し、ステップＳ７００８において、無線通信部１４に対して、ステップＳ６０１１において確立された無線通信（第２の通信）を切断するように要求する無線通信切断要求（第２の通信切断要求）を送信する。
【０１２６】
ステップＳ７００９において、無線通信部１４は、かかる無線通信切断要求（第２の通信切断要求）に応じて、無線通信部２３に対して、当該無線通信切断要求（第２の通信切断要求）を送信する。
【０１２７】
ステップＳ７０１０において、ステップＳ６０１１において確立された無線通信（第２の通信）が切断される。
【０１２８】
本実施形態に係る通信システムによれば、第１の通信を切断する前に、第２の通信の接続を試験することが可能であり、通信設定情報が正しくない場合に、速やかに最初の手順から処理をやり直すことができる。
【０１２９】
また、本実施形態に係る通信システムによれば、第１の通信の切断を検知した場合であっても、更に、ＵＳＢコネクタのＵＳＢキャップへの接続や携帯端末１０のキーホルダーへの接続を検知できない場合には、第２の通信を介したサーバいすを開始させないため、第１の通信を切断した後に、携帯端末１０を情報処理端末２０の近くに置き忘れるという事態を防止し、より安全性の高い通信やサービスを提供することが可能となる。
【０１３０】
（本発明の第５の実施形態に係る通信システム）
次に、本発明の第５の実施形態に係る通信システムについて、上述の第１の実施形態に係る通信システムとの相違点を主として説明する。
【０１３１】
図１３に示すように、第５の実施形態に係る通信システムと第１の実施形態に係る通信システムとの間で異なる点は、「携帯端末１０が、ネットワークインターフェイス１７を新たに備える点」にある。
【０１３２】
本実施形態では、ネットワークインターフェイス１７は、近接通信部１１によって暗号化された通信設定情報が取得された場合に、ネットワーク１（所定ネットワーク）上の加入者データベース２（所定サーバ）に対して当該通信設定情報を転送し、当該加入者データベース２（所定サーバ）から復号された通信設定情報を取得するように構成されている。
【０１３３】
次に、図１４を参照して、本実施形態に係る通信システムの動作について説明する。
【０１３４】
図１４におけるステップＳ８００１乃至Ｓ８００５の動作は、図２に示すステップＳ１００１乃至Ｓ１００５と同一である。
【０１３５】
ステップ８００６において、近接通信部２１は、通信設定情報管理部２２から取得した通信情報設定情報を暗号化し、第１の通信を通じて、暗号化した当該通信設定情報を近接通信部１１に送信する。
【０１３６】
ステップＳ８００７において、近接通信部１１は、かかる暗号化された通信設定情報をネットワークインターフェイス１７に転送し、ステップＳ８００８において、ネットワークインターフェイス１７は、ネットワーク１を介して、かかる暗号化された通信設定情報を加入者データベース２に転送する。
【０１３７】
加入者データベース２は、ステップＳ８００９において、かかる暗号化された通信設定情報について、携帯端末１０の鍵によって復号し、ステップＳ８０１０において、復号した通信設定情報を、ネットワーク１を介して、ネットワークインターフェイス１７に送信する。
【０１３８】
ステップＳ８０１１において、ネットワークインターフェイス１７は、受信した通信設定情報を通信設定管理部１２に転送する。
【０１３９】
以下、図１４におけるステップＳ８０１２乃至Ｓ８０１６の動作は、図３に示すステップＳ１００８乃至Ｓ１０１２の動作と同一である。
【０１４０】
本実施形態に係る通信システムによれば、特定の携帯端末（例えば、加入者データベースに鍵を登録している携帯端末）のみに、通信設定情報を送信するように限定することができる。
【０１４１】
（本発明の第６の実施形態に係る通信システム）
次に、本発明の第６の実施形態に係る通信システムについて、上述の第１の実施形態に係る通信システムとの相違点を主として説明する。
【０１４２】
図１５に示すように、第６の実施形態に係る通信システムと第１の実施形態に係る通信システムとの間で異なる点は、「情報処理端末２０が、ネットワークインターフェイス２７を新たに備える点」にある。
【０１４３】
本実施形態では、ネットワークインターフェイス２７は、近接通信部２１によって第１の通信を介して携帯端末１０の証明書を取得した場合に、ネットワーク１（所定ネットワーク）上の加入者データベース２（所定サーバ）に対して当該携帯端末１０の証明書を転送するように構成されている。
【０１４４】
また、近接通信部２１は、加入者サーバ２（所定サーバ）によって携帯端末１０の証明書が正しいことが検証された場合に、第１の通信を介して携帯端末１０に対して通信設定情報を送信するように構成されている。
【０１４５】
次に、図１６を参照して、本実施形態に係る通信システムの動作について説明する。
【０１４６】
図１６に示すように、ステップＳ９００１において、ユーザが、携帯端末１０のＵＳＢコネクタを情報処理端末２０のＵＳＢポートに接続することによって、近接通信部１１と近接通信部２１との間の第１の通信を開始する。
【０１４７】
ステップＳ９００３において、近接通信部１１は、通信設定情報管理部１２によって管理されている通信設定情報に含まれる携帯端末１０の証明書を、第１の通信を介して、近接通信部２１に送信する。
【０１４８】
ステップＳ９００４において、近接通信部２１は、受信した携帯端末１０の証明書をネットワークインターフェイス２７に転送し、ステップＳ９００５において、ネットワークインターフェイス２７は、受信した携帯端末１０の証明書を、ネットワーク１を介して加入者データベース２に転送する。
【０１４９】
加入者データベース２は、ステップＳ９００６において、受信した携帯端末１０の証明書が正しいか否かについて検証し、ステップＳ９００７において、かかる検証結果（証明書ＯＫ又は証明書ＮＧ）についてネットワークインターフェイス２７に返送する。
【０１５０】
ステップＳ９００８において、ネットワークインターフェイス２７は、受信した検証結果を、近接通信部２１に転送する。
【０１５１】
ステップＳ９００９において、かかる検証結果が、携帯端末１０の証明書が正しいことを示す「証明書ＯＫ」であった場合、近接通信部２１は、通信設定管理部２２に対して、通信設定情報の読み出しを要求するための通信設定情報読出要求を送信する。
【０１５２】
一方、かかる検証結果が、携帯端末１０の証明書が正しくないことを示す「証明書ＮＧ」であった場合、本動作は、ステップ９００１或いはＳ９００３に戻る。
【０１５３】
以下、図１６に示すステップＳ９０１０乃至Ｓ９０１９の動作は、図３に示すステップＳ１０１３乃至Ｓ１０１２の動作と同一である。
【０１５４】
本実施形態に係る通信システムによれば、特定の携帯端末（例えば、加入者データベースに証明書を登録している携帯端末）のみに、通信設定情報を送信するように限定することができる。
【０１５５】
（本発明の第７の実施形態に係る通信システム）
次に、本発明の第７の実施形態に係る通信システムについて、上述の第２の実施形態に係る通信システムとの相違点を主として説明する。
【０１５６】
図１７に示すように、第７の実施形態に係る通信システムと第２の実施形態に係る通信システムとの間で異なる点は、「携帯端末１０が、ネットワークインターフェイス１７を新たに備える点」にある。
【０１５７】
本実施形態では、ネットワークインターフェイス１７は、近接通信部１１によって第１の通信を介して情報処理端末２０の証明書を取得した場合に、ネットワーク１（所定ネットワーク）上の加入者データベース２（所定サーバ）に対して当該情報処理端末２０の証明書を転送するように構成されている。
【０１５８】
また、近接通信部１１は、加入者サーバ２（所定サーバ）によって情報処理端末２０の証明書が正しいことが検証された場合に、第１の通信を介して情報処理端末２０に対して通信設定情報を送信するように構成されている。
【０１５９】
次に、図１８を参照して、本実施形態に係る通信システムの動作について説明する。
【０１６０】
図１８に示すように、ステップＳ１１０１において、ユーザが、携帯端末１０のＵＳＢコネクタを情報処理端末２０のＵＳＢポートに接続することによって、近接通信部１１と近接通信部２１との間の第１の通信を開始する。
【０１６１】
ステップＳ１１０２において、近接通信部２１は、通信設定情報管理部２２によって管理されている通信設定情報に含まれる情報処理端末２０の証明書を、第１の通信を介して、近接通信部１１に送信する。
【０１６２】
ステップＳ１１０３において、近接通信部１１は、受信した情報処理端末２０の証明書をネットワークインターフェイス１７に転送し、ステップＳ１１０４において、ネットワークインターフェイス１７は、受信した情報処理端末２０の証明書を、ネットワーク１を介して加入者データベース２に転送する。
【０１６３】
加入者データベース２は、ステップＳ１１０５において、受信した情報処理端末２０の証明書が正しいか否かについて検証し、ステップＳ１１０６において、かかる検証結果（証明書ＯＫ又は証明書ＮＧ）についてネットワークインターフェイス１７に返送する。
【０１６４】
ステップＳ１１０７において、ネットワークインターフェイス１７は、受信した検証結果を、近接通信部１１に転送する。
【０１６５】
ステップＳ１１０８において、かかる検証結果が、情報処理端末２０の証明書が正しいことを示す「証明書ＯＫ」であった場合、近接通信部１１は、通信設定管理部１２に対して、通信設定情報の読み出しを要求するための通信設定情報読出要求を送信する。
【０１６６】
一方、かかる検証結果が、情報処理端末２０の証明書が正しくないことを示す「証明書ＮＧ」であった場合、本動作は、ステップ１１０１或いはＳ１１０２に戻る。
【０１６７】
以下、図１８に示すステップＳ１１０９乃至Ｓ１１１７の動作は、図６に示すステップＳ３００３乃至Ｓ３０１１の動作と同一である。
【０１６８】
本実施形態に係る通信システムによれば、特定の情報処理端末（例えば、加入者データベースに証明書を登録している情報処理端末）のみに、通信設定情報を送信するように限定することができる。
【０１６９】
（本発明の第８の実施形態に係る通信システム）
次に、本発明の第８の実施形態に係る通信システムについて、上述の第２の実施形態に係る通信システムとの相違点を主として説明する。
【０１７０】
図１９に示すように、第８の実施形態に係る通信システムと第２の実施形態に係る通信システムとの間で異なる点は、「情報処理端末２０が、ネットワークインターフェイス２７を新たに備える点」にある。
【０１７１】
本実施形態では、ネットワークインターフェイス２７は、近接通信部２１によって暗号化された通信設定情報が取得された場合に、ネットワーク１（所定ネットワーク）上の加入者データベース２（所定サーバ）に対して当該通信設定情報を転送し、当該加入者データベース２（所定サーバ）から復号された通信設定情報を取得するように構成されている。
【０１７２】
次に、図２０を参照して、本実施形態に係る通信システムの動作について説明する。
【０１７３】
図２０におけるステップＳ１２０１乃至Ｓ１２０５の動作は、図２に示すステップＳ３００１乃至Ｓ３００５と同一である。
【０１７４】
ステップ１２０６において、近接通信部１１は、通信設定情報管理部１２から取得した通信情報設定情報を暗号化し、第１の通信を通じて、暗号化した当該通信設定情報を近接通信部２１に送信する。
【０１７５】
ステップＳ１２０７において、近接通信部２１は、かかる暗号化された通信設定情報をネットワークインターフェイス２７に転送し、ステップＳ１２０８において、ネットワークインターフェイス２７は、ネットワーク１を介して、かかる暗号化された通信設定情報を加入者データベース２に転送する。
【０１７６】
加入者データベース２は、ステップＳ１２０９において、かかる暗号化された通信設定情報について、情報処理端末２０の鍵によって復号し、ステップＳ１２１０において、復号した通信設定情報を、ネットワーク１を介して、ネットワークインターフェイス２７に送信する。
【０１７７】
ステップＳ１２１１において、ネットワークインターフェイス２７は、受信した通信設定情報を通信設定管理部２２に転送する。
【０１７８】
以下、図２０におけるステップＳ１２１２乃至Ｓ１２１５の動作は、図３に示すステップＳ３００８乃至Ｓ３０１１の動作と同一である。
【０１７９】
本実施形態に係る通信システムによれば、特定の情報処理端末（例えば、加入者データベースに鍵を登録している情報処理端末）のみに、通信設定情報を送信するように限定することができる。
【０１８０】
（本発明の第９の実施形態に係る通信システム）
次に、本発明の第９の実施形態に係る通信システムについて、上述の第１の実施形態に係る通信システムとの相違点を主として説明する。
【０１８１】
図２１に示すように、第９の実施形態に係る通信システムと第２の実施形態に係る通信システムとの間で異なる点は、「携帯端末１０が、パスワード取得部１９Ａ及びモード管理部１９Ｂを新たに備える点」にある。
【０１８２】
本実施形態では、パスワード取得部１９Ａは、ユーザによって入力されたパスワード（秘密情報）を取得するように構成されている。
【０１８３】
モード管理部１９Ｂは、携帯端末１０が、テンポラリモードで動作しているか、或いは、永久モードで動作しているかについて管理するように構成されている。
【０１８４】
なお、モード管理部１９Ｂは、ユーザによってパスワード（秘密情報）が正しく入力された場合には、携帯端末１０が永久モードで起動していると管理し、ユーザによってパスワード（秘密情報）が正しく入力されなかった場合には、携帯端末１０がテンポラリモードで起動していると管理する。
【０１８５】
また、近接通信部１１は、ユーザによってパスワード（秘密情報）が正しく入力された場合に、永久モード用通信設定情報（第１の通信設定情報）を取得し、ユーザによってパスワード（秘密情報）が正しく入力されなかった場合に、テンポラリモード用通信設定情報（第２の通信設定情報）を取得するように構成されている。
【０１８６】
また、無線通信部１４は、確立された第２の通信が切断された後、第２の通信設定情報が取得されている場合で、かつ、情報処理端末２０との距離が所定閾値未満となった場合には、切断検知部１３によって第１の通信の切断が検知されない場合であっても、永久モード用通信設定情報（第１の通信設定情報）に基づいて、情報処理端末２０との間で第２の通信を確立するように構成されている。
【０１８７】
すなわち、携帯端末１０が永久モードで動作している場合で、情報処理端末２０との距離が所定閾値未満となった場合には、当該携帯端末１０は、近接通信部１１によって、第１の通信を確立することなく、無線通信部１４によって、永久モード用通信設定情報（第１の通信設定情報）に基づいて、情報処理端末２０との間で第２の通信を確立するように構成されている。
【０１８８】
以下、図２２及び図２３を参照して、本実施形態に係る通信システムの動作について説明する。
【０１８９】
第１に、図２２を参照して、本実施形態に係る通信システムにおいて、携帯端末１０が永久モード用通信設定情報（第１の通信設定情報）を保存していない場合の通信開始手順、すなわち、携帯端末１０がテンポラリモードで動作している場合の通信開始手順について説明する。
【０１９０】
図２２に示すように、ステップＳ１０１において、ユーザが、携帯端末１０のＵＳＢコネクタを情報処理端末２０のＵＳＢポートに接続することによって、近接通信部１１と近接通信部２１との間の第１の通信を開始する。
【０１９１】
ステップＳ１０２において、所定期間内に、携帯端末１０のパスワード取得部１９Ａに対して、ユーザが正しいパスワードを入力したか否かについて判定する。
【０１９２】
入力されなかったと判定された場合、ステップＳ１０３において、携帯端末１０は、テンポラリモードによる動作を継続すると判断し、近接通信部１１は、情報処理端末２０の近接通信部２１から、テンポラリモード用通信設定情報（第２の通信設定情報）を取得する。
【０１９３】
その後の動作は、上述の第１乃至第８の実施形態に係る動作と同一である（例えば、図３のステップＳ１００７以降の動作を行う）。
【０１９４】
一方、入力されたと判定された場合、ステップＳ１０４において、携帯端末１０は、永久モードによる動作を継続すると判断し、近接通信部１１は、情報処理端末２０の近接通信部２１から、永久モード用通信設定情報（第１の通信設定情報）を取得する。
【０１９５】
その後、上述の第１乃至第８の実施形態に係る動作と同一の動作（例えば、図３のステップＳ１００７以降の動作）を行ってもよいし、図２３に示す動作を行ってもよい。
【０１９６】
第２に、図２３を参照して、本実施形態に係る通信システムにおいて、携帯端末１０が永久モード用通信設定情報（第１の通信設定情報）を保存している場合の通信開始手順、すなわち、携帯端末１０が永久モードで動作している場合の通信開始手順について説明する。
【０１９７】
図２３に示すように、ステップＳ２０１において、携帯端末１０の無線通信部１４は、情報処理端末２０との距離が所定閾値未満であるか否かについて、すなわち、携帯端末１０が所定距離まで情報処理端末２０に近づいたか否かについて判定する。
【０１９８】
所定閾値未満であると判定された場合、ステップＳ２０２において、無線通信部１４は、無線通信部２３との間で、永久モード用通信設定情報（第１の通信設定情報）を用いて、第２の通信を確立する。
【０１９９】
本実施形態に係る通信システムによれば、携帯端末１０が、よく利用する情報処理端末２０に対しては、第１の通信を確立することなく、いきなり第２の通信を確立することによって、通信開始までに掛かる時間を短くすることができる。
【０２００】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【図面の簡単な説明】
【０２０１】
【図１】本発明の第１の実施形態に係る携帯端末及び情報処理端末の機能ブロック図である。
【図２】本発明の第１の実施形態で用いられる通信設定情報の一例を示す図である。
【図３】本発明の第１の実施形態に係る携帯端末と情報処理端末との間の通信手順を示す図である。
【図４】本発明の第１の実施形態に係る携帯端末と情報処理端末との間の通信手順を示す図である。
【図５】本発明の第２の実施形態に係る携帯端末及び情報処理端末の機能ブロック図である。
【図６】本発明の第２の実施形態に係る携帯端末と情報処理端末との間の通信手順を示す図である。
【図７】本発明の第２の実施形態に係る携帯端末と情報処理端末との間の通信手順を示す図である。
【図８】本発明の第３の実施形態に係る携帯端末及び情報処理端末の機能ブロック図である。
【図９】本発明の第３の実施形態に係る携帯端末と情報処理端末との間の通信手順を示す図である。
【図１０】本発明の第４の実施形態に係る携帯端末及び情報処理端末の機能ブロック図である。
【図１１】本発明の第４の実施形態に係る携帯端末と情報処理端末との間の通信手順を示す図である。
【図１２】本発明の第４の実施形態に係る携帯端末と情報処理端末との間の通信手順を示す図である。
【図１３】本発明の第５の実施形態に係る携帯端末及び情報処理端末の機能ブロック図である。
【図１４】本発明の第５の実施形態に係る携帯端末と情報処理端末との間の通信手順を示す図である。
【図１５】本発明の第６の実施形態に係る携帯端末及び情報処理端末の機能ブロック図である。
【図１６】本発明の第６の実施形態に係る携帯端末と情報処理端末との間の通信手順を示す図である。
【図１７】本発明の第７の実施形態に係る携帯端末及び情報処理端末の機能ブロック図である。
【図１８】本発明の第７の実施形態に係る携帯端末と情報処理端末との間の通信手順を示す図である。
【図１９】本発明の第８の実施形態に係る携帯端末及び情報処理端末の機能ブロック図である。
【図２０】本発明の第８の実施形態に係る携帯端末と情報処理端末との間の通信手順を示す図である。
【図２１】本発明の第９の実施形態に係る携帯端末及び情報処理端末の機能ブロック図である。
【図２２】本発明の第９の実施形態に係る携帯端末と情報処理端末との間の通信手順を示す図である。
【図２３】本発明の第９の実施形態に係る携帯端末と情報処理端末との間の通信手順を示す図である。
【符号の説明】
【０２０２】
１０…携帯端末
２０…情報処理端末
１１、２１…近接通信部
１２、２２…通信設定情報管理部
１３、２５…切断検知部
１４、２３…無線通信部
２４…表示部
１５、２６…アプリケーション処理部
１６…接続検知部
１７、２７…ネットワークインターフェイス
１９Ａ…パスワード取得部
１９Ｂ…モード管理部
【図１】
2008301110.tif 000003
【図２】
2008301110.tif 000004
【図３】
2008301110.tif 000005
【図４】
2008301110.tif 000006
【図５】
2008301110.tif 000007
【図６】
2008301110.tif 000008
【図７】
2008301110.tif 000009
【図８】
2008301110.tif 000010
【図９】
2008301110.tif 000011
【図１０】
2008301110.tif 000012
【図１１】
2008301110.tif 000013
【図１２】
2008301110.tif 000014
【図１３】
2008301110.tif 000015
【図１４】
2008301110.tif 000016
【図１５】
2008301110.tif 000017
【図１６】
2008301110.tif 000018
【図１７】
2008301110.tif 000019
【図１８】
2008301110.tif 000020
【図１９】
2008301110.tif 000021
【図２０】
2008301110.tif 000022
【図２１】
2008301110.tif 000023
【図２２】
2008301110.tif 000024
【図２３】
2008301110.tif 000025